(57)【要約】      （修正有）【課題】立刃に接触、回動可能に備えた切り替え刃を切り替えレバーで断路位置より一対の受刃へ切り替え、切り替え刃を立刃と受刃に圧接して通電する。【解決手段】一対の導電性受刃３と、導電性立刃２と、立刃側の作動軸６に回動可能に備えた切り替え刃４と、切り替え刃４の一方の面側に作動軸に切り替え刃４との協働を保持及び解除可能なトグルリンクＡを備えた切り替えレバー７と、切り替え刃４の他方の面側に切り替え刃４との協働を保持及び解除可能なトグルリンクＢを備えたトグル作用レバー８と、付勢手段とカム手段とを備え、切り替え刃４には自由端の接触軸に締め付けレバー２７と、付勢手段とカム手段を備え、切り替えレバー７と締め付けレバー２７と協働可能に連結された連結部材３２と、立刃の両側には、前面側と後面側に備えたトグルリンクの保持を解除するためのストッパー部材４１とを備えた切り替え断路器。【選択図】図１０
0003151075.tif 000002
【実用新案登録請求の範囲】
【請求項１】
所定距離離間し、投入孔を向かい合わせて設けた一対の導電性受刃と、
該一対の導電性受刃間の中間部下方に位置する導電性立刃と、
基端部が前記導電性立刃に接触しかつ作動軸により回動可能に軸支され、先端側にて前記一対の導電性受刃に切り替え可能に接触する切り替え刃と、
前記作動軸に、前記切り替え刃の一方の面側に設けられ、前記切り替え刃との協働を保持及び解除可能なトグルリンクを備えた切り替えレバーと、前記切り替え刃の他方の面側に設けられ、前記切り替え刃との協働を保持及び解除可能なトグルリンクを備えたトグル作用レバーと、前記切り替え刃の刃体を導電性立刃に付勢するための付勢手段および圧接するためのカム手段とを備え、
前記切り替え刃には、先端側に回動可能に備え、前記導電性受刃の投入孔に投入する接触軸と、
前記接触軸に締め付けレバーと、前記切り替え刃の刃体を導電性受刃に付勢するための付勢手段および圧接するためのカム手段とを備え、
前記切り替え刃に平行に設けられ、一端が前記切り替えレバーと、他端が前記締め付けレバーと協働可能に連結された連結部材と、
前記導電性立刃の両側には、前記切り替え刃の一方の面側に備えたトグルリンクと他方の面側に備えたトグルリンクを衝接させてトグルリンクの保持を解除するための一対のストッパー部材を備え、
前記切り替えレバーにより導電性立刃を支点として前記切り替え刃を左右いずれかに回動し、切り替え刃の一方の面側と他方の面側のトグルリンクのうち、回動される方向のトグルリンクの保持をストッパー部材で解除し、前記切り替え刃の接触軸を導電性受刃に投入後、切り替えレバーを回動して作動軸のカム手段で前記切り替え刃を導電性立刃に圧接すると同時に前記連結部材を介して切り替え刃の先端側接触軸の締め付けレバーを回動しカム手段で前記切り替え刃を導電性受刃に圧接可能としたことを特徴とする切り替え断路器。
【請求項２】
前記トグルリンクは、一端にストッパー部材に衝接させる衝接部を有し、ほぼ中央を前記切り替え刃の一側に枢支された第１のトグルレバーと、
一端が前記第１のトグルレバーの他端に折り曲げ可能に結節され、かつ前記切り替えレバーまたは前記トグル作用レバーに設けた作用ピンが摺動可能に挿入される所定長さの長孔を有する第２のトグルレバーとを備え、
前記第２のトグルレバーは、第１のトグルレバーとの結節側を常時保持位置に戻す方向に荷重が働くように重り部が設けられたものである請求項１に記載の切り替え断路器。
【請求項３】
前記切り替え刃は、下部の１または複数箇所に係止凹部を設けたものであり、前記切り替え刃の直下には、前記切り替え刃の前記係止凹部の回動位置に出没可能な係止部材を備えた係止装置を備えた請求項１または２に記載の切り替え断路器。
【請求項４】
前記導電性立刃、導電性受刃、切り替え刃等からなる断路器単体を複数組配設して、各操作レバーを手動の回動操作或いは駆動手段により一度に切り替え操作可能としたものである請求項１ないし３のいずれかに記載の切り替え断路器。
【考案の詳細な説明】
【技術分野】
【０００１】
この考案は、立刃に備えた切り替え刃を１対の受刃と断路位置に切り替え、通電経路の切り替え、通電を断路できる切り替え断路器に関する。
【背景技術】
【０００２】
従来、この種の切り替え断路器として、立刃に備えた切り替え刃を一対の受刃のいずれかに切り替え時、トグル機構（トグルリンク）を利用して加圧手段を働かせて圧接するものとして、特許文献の双投型断路器が公開されている。
【先行技術文献】
【特許文献】
【０００３】
【特許文献１】実用新案登録第１９５９９４２号公報
【考案の概要】
【考案が解決しようとする課題】
【０００４】
上記双投型断路器は、立刃に備えた切り替え刃を一対の受刃のいずれかに切り替えるものであるが、立刃の支軸に切り替え刃が回動可能に備えられ、切り替え刃の受刃側の軸に軸支する締め付けレバーが操作レバーで回動され、二枚の切り替え刃の間に備える締め付けレバーの前後にトグルリンクを備えるので、この構造では二枚の切り替え刃の間隔が広くなり、その切り替え刃を投入する受刃も断面コ字型となり、断路器を複数組並設すると幅が広くなり、また二枚の切り替え刃の間に備える締め付けレバーの前後にトグルリンクを備え、トグルリンクを元の保持状態にばねで戻す構造であるから、構造が複雑で、部品点数が多いなどの問題があった。
この考案は、導電性立刃の作動軸に切り替え刃を回動可能に備え、切り替え刃を中立の断路位置から、一対の導電性受刃のいずれかに切り替える切り替え断路器であって、切り替えレバーをいずれかの受刃に回動時、切り替え刃の両面に備えたトグルリンクのうち一方のトグルリンクの保持を解除し切り替え刃を受刃に投入後切り替えレバーと、切り替え刃の受刃側に備える締め付けレバーとを回動してカム手段と付勢手段を働かせて切り替え刃を導電性立刃および受刃に確実に圧接できる切り替え断路器を提供することを目的とする。
【課題を解決するための手段】
【０００５】
上記目的を達成するものは、以下の切り替え断路器である。
（１）所定距離離間し、投入孔を向かい合わせて設けた一対の導電性受刃と、
該一対の導電性受刃間の中間部下方に位置する導電性立刃と、
基端部が前記導電性立刃に接触しかつ作動軸により回動可能に軸支され、先端側にて前記一対の導電性受刃に切り替え可能に接触する導電性切り替え刃と、
前記作動軸に、前記切り替え刃の一方の面側に設けられ、前記切り替え刃との協働を保持及び解除可能なトグルリンクを備えた切り替えレバーと、前記切り替え刃の他方の面側に設けられ、前記切り替え刃との協働を保持及び解除可能なトグルリンクを備えたトグル作用レバーと、前記切り替え刃の刃体を導電性立刃に付勢するための付勢手段および圧接するためのカム手段とを備え、
前記切り替え刃には、先端側に回動可能に備え、前記導電性受刃の投入孔に投入する接触軸と、
前記接触軸に締め付けレバーと、前記切り替え刃の刃体を導電性受刃に付勢するための付勢手段および圧接するためのカム手段とを備え、
前記切り替え刃に平行に設けられ、一端が前記切り替えレバーと、他端が前記締め付けレバーと協働可能に連結された連結部材と、
前記導電性立刃の両側には、前記切り替え刃の一方の面側に備えたトグルリンクと他方の面側に備えたトグルリンクを衝接させてトグルリンクの保持を解除するための一対のストッパー部材を備え、
前記切り替えレバーにより導電性立刃を支点として前記導電性切り替え刃を左右いずれかに回動し、切り替え刃の一方の面側と他方の面側のトグルリンクのうち、回動される方向のトグルリンクの保持をストッパー部材で解除し、前記切り替え刃の接触軸を導電性受刃に投入後、前記切り替えレバーを回動してカム手段で前記切り替え刃を導電性立刃に圧接すると同時に前記連結部材を介して前記締め付けレバーを回動してカム手段で前記切り替え刃を導電性受刃に圧接可能としたことを特徴とする切り替え断路器。
【０００６】
（２）前記トグルリンクは、一端にストッパー部材に衝接させる衝突部を有し、ほぼ中央を前記切り替え刃の一側に枢支された第１のトグルレバーと、
一端が前記第１のトグルレバーの他端に折り曲げ可能に結節され、かつ前記切り替えレバーまたは前記トグル作用レバーに設けた作用ピンが摺動可能に挿入される所定長さの長孔を有する第２のトグルレバーとを備え、
前記第２のトグルレバーは、第１のトグルレバーとの結節側を常時保持位置に戻す方向に荷重が働くように重り部が設けられたものである上記（１）に記載の切り替え断路器。
【０００７】
（３）前記切り替え刃は、下部の１または複数箇所に係止凹部を設けたものであり、前記切り替え刃の直下には、前記切り替え刃の前記係止凹部の回動位置に出没可能な係止部材を備えた係止装置を備えた上記（１）または上記（２）に記載の切り替え断路器。
（４）前記導電性立刃、受刃、切り替え刃等からなる断路器単体を複数組配設して、各操作レバーを手動の回動操作或いは駆動手段により一度に切り替え操作可能としたものである上記（１）ないし上記（３）のいずれかに記載の切り替え断路器。
【考案の効果】
【０００８】
この考案の切り替え断路器によれば、導電性立刃側の作動軸に備えた切り替えレバーを左右いずれかに回動することにより、切り替え刃の一方の面側に備えたトグルリンクと他方の面側に備えたトグルリンクのうち回動する方向のトグルリンクをストッパー部材に衝接させてトグルリンクを解除後に前記切り替えレバーと、前記締め付けレバーの回動で立刃側と受刃側の付勢手段とカム手段を働かせて導電性切り替え刃を導電性立刃と受刃に同時に圧接できるので、便利であり、かつ確実に通電経路の切り替え、通電を断路できる。切り替えレバーは切り替え刃の切り替えだけでなく、一方の面側のトグルリンクの作用レバーと、立刃側のカム手段の締め付けレバーを兼ねているなど、構造が簡単となり、部品点数を少なくできる。
【０００９】
前記トグルリンクは、一端に衝突部を有し、ほぼ中央を切り替え刃の一側に枢支された第１のトグルレバーと、一端が第１のトグルレバーの他端に折り曲げ可能に結節され、かつ切り替えレバーまたはトグル作用レバーに設けた作用ピンが摺動可能に挿入される所定長さの長孔を有する第２のトグルレバーとを備え、前記第２のトグルレバーは、第１のトグルレバーとの結節側を常時保持位置に戻す方向に荷重が働くように重り部を設けたので、切り替え刃を中立から受刃側に回動するとき、第２のトグルレバー重り部の重さに抗して第１のトグルレバーと第２のトグルレバーとの結節部が死点を越えへの字状に折り曲げ可能（トグルリンクの解除状態）となり、また、切り替え刃を受刃側より中立へ回動するとき、第２のトグルレバー重り部の自重の作用で死点を越えて逆への字となり、中立位置に保持状態（トグルリンクの保持状態）に的確に切り替えできる。第２のトグルレバーに重り部を形成するので、構造が簡単となり、部品点数を少なくできる。
【００１０】
前記切り替え刃は、下部の１または複数箇所に係止凹部を設け、前記切り替え刃の前記係止凹部の回動位置に出没可能な係止部材を備えた係止装置を備えたので、切り替え刃の下部の係止凹部を係止装置の係止部材に係合して止めることができ、切り替え刃を中立の断路状態を維持でき、安全に修理作業、交換作業等をすることができ、また左右に切り替える通電状態を確実に維持できる。
【００１１】
前記導電性立刃、導電性受刃、切り替え刃等からなる断路器単体を複数組配設して、各操作レバーを手動の回動操作或いは駆動手段により複数組の断路器を中立位置から左右いずれかの受刃に、一度に切り替えできるので便利であり、遠隔操作も可能である。
【図面の簡単な説明】
【００１２】
【図１】図１は、この考案の切り替え断路器の背面図である。
【図２】図２は、同切り替え断路器の平面図である。
【図３】図３は、同切り替え断路器の側面図である。
【図４】図４は、切り替え断路器の断路時（中立状態）の要部正面図である。
【図５】図５は、切り替え断路器の断路時（中立状態）の拡大正面図である。
【図６】図６は、切り替え断路器の断路時（中立状態）の拡大背面図である。
【図７】図７は、切り替え断路器の縦断面図である。
【図８】図８は、切り替え断路器の平断面図である。
【図９】図９は、切り替え刃を左側へ回動しトグルリンクを解除し、受刃に嵌合保持した状態の正面図である。
【図１０】図１０は、切り替え刃を左側の受刃に嵌合保持し、切り替えレバーで圧接した状態の正面図である。
【図１１】図１１は、同拡大正面図である。
【図１２】図１２は、同切り替え刃を左側の受刃に嵌合保持し、切り替えレバーで圧接した状態の背面図である。
【図１３】図１３は、切り替え刃を右側の受刃に嵌合保持し、切り替えレバーで圧接した状態の正面図である。
【図１４】図１４は、同背面図である。
【図１５】図１５は、（イ）切り替え刃側のカム板の内面図と、（ロ）切り替えレバー側のカム板の内面図である。
【図１６】図１６は、（イ）切り替え刃の受刃側の非圧接状態の付勢手段とカム手段を備えた軸を示す要部断面図と、（ロ）同圧接状態の付勢手段とカム手段を備えた軸を示す要部断面図である。
【図１７】図１７は、立刃側の付勢手段とカム手段を備えた作動軸を示す断面図である。
【考案を実施するための形態】
【００１３】
この考案を実施するための最良の形態を図に示す。図１はこの考案の切り替え断路器の背面図、図２は同切り替え断路器の平面図、図３は同切り替え断路器の側面図、図４は切り替え断路器の断路時（中立状態）の要部正面図、図５は切り替え断路器の断路時（中立状態）の拡大正面図、図６は切り替え断路器の断路時（中立状態）の背面図、図７は切り替え断路器の縦断面図、図８は切り替え断路器の平断面図、図９は切り替え刃を左側へ回動しトグルリンクを解除し、受刃に嵌合保持した状態の正面図、図１０は切り替え刃を左側の受刃に嵌合保持し、切り替えレバーで圧接した状態の正面図、図１１は同拡大正面図、図１２は同切り替え刃を左側の受刃に嵌合保持し、切り替えレバーで圧接した状態の背面図、図１３は切り替え刃を右側の受刃に嵌合保持し、切り替えレバーで圧接した状態の正面図、図１４は同背面図、図１５は（イ）切り替え刃側のカム板の内面図と、（ロ）切り替えレバー側のカム板の内面図、図１６は、（イ）切り替え刃の受刃側の非圧接状態の付勢手段とカム手段を備えた接触軸を示す要部断面図と、（ロ）同圧接状態の付勢手段とカム手段を備えた接触軸を示す要部断面図、図１７は、立刃側の付勢手段とカム手段を備えた作動軸を示す断面図である。
【００１４】
図１は切り替え断路器の全体を背面側より示す背面図で、受刃３Ａを右側、受刃３Ｂを左側とし、切り替えレバー７側が示されている。
図１乃至図３において、１は切り替え断路器であり、該断路器の枠体１ａに導電性立刃２、導電性受刃３、切り替え刃４等を備えた断路器単体Ｃを所定の間隔をおいて配列する。
【００１５】
２は板状の導電性立刃、３は板状の一対の導電性受刃であり、一対の導電性受刃３は所定距離離間し、投入孔９を向かい合わせて設けてあり、導電性立刃２は前記一対の導電性受刃３、４間の中間部下方に位置するように設けられる。
図４ないし図１４では、受刃３Ａを左側、受刃３Ｂを右側とし、切り替え刃４の一方の面に備えるトグル作用レバー８を正面側とし、切り替え刃４の他方の面に備える切り替えレバー７を背面側として説明する。
枠体１の下部中央に立刃２が絶縁部材を介して垂直に設置され、該立刃２の上方で中心線に対称に左側の受刃３Ａ、右側の受刃３Ｂが絶縁部材を介して固定されている。左側の受刃３Ａ、右側の受刃３Ｂは横向きで、投入孔９が向かい合わせて設置されている。
【００１６】
本考案の切り替え断路器１は、所定距離離間し、投入孔９を向かい合わせて設けた一対の導電性受刃３と、該一対の導電性受刃３、４間の中間部下方に位置する導電性立刃２と、基端部が前記導電性立刃２に接触しかつ作動軸６により回動可能に軸支され、先端側にて前記一対の導電性受刃に切り替え可能に接触する切り替え刃４と、前記作動軸６に、前記切り替え刃４の一方の面側に設けられ、前記切り替え刃４との協働を保持及び解除可能なトグルリンクＡを備えた切り替えレバー７と、前記切り替え刃４の他方の面側に設けられ、前記切り替え刃４との協働を保持及び解除可能なトグルリンクＢを備えたトグル作用レバー８と、前記切り替え刃４の刃体を導電性立刃２に付勢するための付勢手段１８および圧接するためのカム手段１９とを備え、
前記切り替え刃４には、先端側に回動可能に備え、前記導電性受刃３の投入孔９に投入する接触軸１０と、前記接触軸１０に締め付けレバー２７と、前記切り替え刃４の刃体を導電性受刃３に付勢するための付勢手段２８および圧接するためのカム手段２９とを備え、
一端が前記切り替えレバー７と、他端が前記締め付けレバー２７と協働可能に連結された連結部材３２と、前記導電性立刃２の両側には、前記切り替え刃４の一方の面側に備えたトグルリンクＡと他方の面側に備えたトグルリンクＢを衝接させてトグルリンクの保持を解除するための一対のストッパー部材４１を備え、  前記切り替えレバー７により導電性立刃２の作動軸６を支点として前記切り替え刃４を左右いずれかに回動し、切り替え刃４の一方の面側と他方の面側のトグルリンクのうち、回動される方向のトグルリンクの保持をストッパー部材４１で解除し、前記切り替え刃４の接触軸１０を導電性受刃３の投入孔９に投入後、切り替えレバー７を回動して前記カム手段１９で前記切り替え刃４を導電性立刃２に圧接すると同時に前記連結部材３２を介して切り替え刃４の先端側接触軸１０の締め付けレバー２７を回動しカム手段２９で前記切り替え刃４を導電性受刃３に圧接可能としたものである。
切り替え刃４の一方の面側は、 図４で切り替えレバー７の後面側、他方の面側は、 図４で切り替えレバー７の前面側をいう。
【００１７】
前記導電性立刃２は、上部中央に挿通孔５が設けられ、該挿通孔５に作動軸６が回動自由に軸支され、該作動軸６に立刃２の前後に接触可能な二枚の導電性刃体の切り替え刃４が軸支され、該作動軸６の後端に切り替えレバー７の基端が備えられ、溶接等により固定されている。
前記導電性受刃３は、向かい合わせる面に、切り替え刃４の自由端部４ｂに備えた接触軸１０を投入する投入孔９が凹状に設けられている。投入孔９は、前記接触軸１０を投入できる幅で、該接触軸１０の円弧運動に合致するように傾斜状に形成されている。受刃３には、投入孔９の他に、投入孔９の後部に接触軸１０を受け止め時切り替え刃４の先端が当接する位置に受け止め部１１を設けるのが好ましい。
【００１８】
導電性切り替え刃４は、前記導電性立刃２と導電性受刃３の両面に接触可能な二枚の導電性刃体４ａ、４ｂで、基端部４ｃを前記立刃２に軸支した作動軸６に回動可能に備え、かつ自由端部４ｄに接触軸１０を回動可能に備え、該接触軸１０を前記受刃３の投入孔９に投入可能とする。前記導電性立刃２と受刃３の厚みは、前記切り替え刃４の二枚の導電性刃体４ａ、４ｂの間隔に挿入可能な厚みとする。前記刃体４ａ、４ｂは中間部に１または複数の間隔部材４ｅを設けて一体に設けてある。
【００１９】
実施形態では、切り替え刃４の刃体間の接触軸１０に筒状部材１２を備え、該筒状部材１２が受刃３の投入孔９に投入して接触して受け止められ、切り替え刃４の先端は前記受け止め部１１に当接する。
前記切り替え刃４の導電性刃体４ａ、４ｂには、立刃２と受刃３に接触させ易くするために内面の１又は複数の箇所に突出した凸状接触面１３を形成することが好ましい。実施例では切り替え刃４の内面で作動軸６の両側に相当する位置に凸状接触面１３を設け、かつ切り替え刃４の両側内面の上部隅角で受刃３に嵌合する位置に縦横に凸状接触面１３を設けて後述のカム手段による圧接時に確実に接触させるようにしてある。
【００２０】
図１７に示すように、前記導電性立刃２に軸支する作動軸６には、前記切り替え刃４の一方の面側（後面側）に前記切り替え刃との協働を保持及び解除可能なトグルリンクＡを備えた切り替えレバー７と、前記切り替え刃４の他方の面側（前面側）に前記切り替え刃４との協働を保持及び解除可能なトグルリンクＢを備えたトグル作用レバー８とを備え、かつ前記切り替え刃４の刃体を立刃２に付勢するための付勢手段１８と立刃に圧接可能なカム手段１９とが備えられている。
前記作動軸６は立刃２、切り替え刃４に軸支する部分は丸軸として回転自由に軸支し、前記作動軸６の一端（後端）は角軸として切り替えレバー７が回転方向及び軸方向に固定して協働可能に備え、他端（前端）は角軸としてトグル作用レバー８は作動軸６に回転方向に固定的にかつ軸方向に移動可能に備えられる。
導電性立刃２および受刃３は枠体１に絶縁部材を介して備えられ、別経路で通電されていて、導電性切り替え刃４を左側受刃３Ａ、右側受刃３Ｂのいずれか一方に切り替え接続することにより通電経路を変える。そして、切り替え刃４を立刃２に直立状態とした中立位置にすることにより左右の受刃３と切り離して通電経路を断路するものである。
【００２１】
前記切り替えレバー７は、３角形状板体で、底部側一側に前記立刃２の作動軸６が固定され、頂部に枢軸が設けられて作動手段４５が連設され、作動手段４５の運動により切り替えレバー７を立刃２の作動軸６を支点として回動し、切り替え刃４が左右のいずれかに回動される。切り替えレバー７の作動軸６の位置は、上部を頂点とする３角形状板体の底部で、作動手段４５の作動杆５３とは反対側に設け、作動杆５３で上部を切り替え刃４にほぼ直交する方向に進退することにより３角形の底部の一側の作動軸６を支点として回動可能としてある。前記切り替えレバー７は、切り替え刃４の切り替えだけでなく、一方の面側（後面側）のトグルリンクＡの作用レバーと、立刃側の作動軸のカム手段の締め付けレバーを兼ねている。
前記切り替えレバー７と前記切り替え刃４の一方の面側（後面側）との間には、トグルリンクＡが備えられている。切り替えレバー７の作動軸６の位置は、上部を頂点とする３角形状板体の底部の一側寄りの位置に貫通孔を設け、作動軸６の端部を嵌合して一体に固定され、 底部の反対側に後述の連結部材２９を連設する枢軸２０が設けられ側面のほぼ中間に凸状延出部２１が形成され、該凸状延出部２１の切り替え刃４の側にトグルリンクＡを作用する作用ピン２２が設けられている。 
【００２２】
作動手段４５は、駆動装置或いは手動により作動杆５３を切り替え刃４とほぼ直交する方向に進退運動させて、切り替えレバー７を切り替え刃４の中立位置の左方向または右方向に所定ストローク回動させる。
切り替えレバー７は上端に作動杆５３が連設され、駆動装置或いは手動により作動杆５３を進退運動させることにより、切り替えレバー７は作動軸６を軸として円弧状軌跡に回動される。
【００２３】
前記トグル作用レバー８は、下部の径を切り替え刃４の幅とほぼ同じ大きさとし、上部の径を小径とした板体であり、下部を前記作動軸６の他方端（前端）に軸支してナット２５で締め付け固定される。トグル作用レバー８の上部には、切り替え刃４の側にトグルリンクＢを作用する作用ピン２３が設けられている。切り替え刃４の中立位置でトグル作用レバー８は、作用ピン２３が前記切り替えレバー７の作用ピン２２の位置とほぼ対称となるように右側に傾斜状に備えられる。
トグル作用レバー８は、切り替え刃４を左右いずれかに回動するときに、回動する方向が左方向のとき、トグルリンクＢの保持を所定位置のストッパー部材４１で解除してトグルリンクが可動可能となり、カム手段を回動して刃体を圧接する。このとき、反対側の切り替えレバー７のトグルリンクＡは保持状態のまま回動される。切り替え刃４を中立に戻すときに切り替えレバーが引かれると該トグルリンクによりカム手段を逆に回動して圧接を解除し、切り替え刃を中立方向へ回動する。
【００２４】
図８、図１７に示すように、導電性切り替え刃４を導電性立刃２に締め付け圧接する構造として、前記作動軸６に刃体を立刃２に圧接するための付勢手段１８と立刃２に圧接可能なカム手段１９とを備えてある。
前記付勢手段１８は、前面側刃体４ａとトグル作用レバー８側のばね押さえ部材２４との間に一対の弾性皿ばね１８ａ、１８ｂを相対向して備える。
カム手段１９は、一対のカム板１９ａ、１９ｂを相対向し、一方のカム板１９ａは切り替え刃４に固定し、かつ他方のカム板１９ｂは切り替えレバー７に固定されている。
作動軸６には、切り替え刃４の一方の面（後面）と前記切り替えレバー７との間に一対のカム板１９ａ、１９ｂが備えられ、切り替え刃４の他方の面（前面）とばね押さえ部材２４との間に一対の皿ばね１８ａ、１８ｂが備えられ、トグル作用レバー８をばね押さえ部材２４の前面に回転方向に固定的で、軸方向に移動可能に備え、作動軸６の前端にナット２５を螺合して締め付けてある。
【００２５】
前記カム手段１９は、一対の金属製円盤状カム板で、凹面と凸面を相対向して備えたカム板１９ａ、１９ｂであり、カム面の凹面と凸面を噛み合わせて押圧解除し、また、凸面同士を乗り合わせ（係合）て前記皿ばね１８の縮小可能な範囲で押圧して刃体４と受刃３の接触部を強力に圧接保持可能とする。
実施例のカム板１９ａ、１９ｂの対向面には、周面に複数の扇形状凸面、その両側に傾斜面を存して扇形状凹面を配列し、一方のカム板１９ａは作動軸６に回転自由で切り替え刃４の刃体に固定的に備えて固定側カムとし、かつ他方のカム板１９ｂは切り替えレバー７にねじで固定して切り替えレバー７の回動により回される可動側カムとしてある。
切り替えレバー７の回動時に固定側カム１９ａに対して可動側カム１９ｂを左右いずれかに回転するとカムの相対向する凸面が互いに重なり合ってカムの両端面の巾が最大となって押圧力を働かせることができ、逆に回してカムの凹凸面を相互に噛合状態とすると、カムの両端面の巾が最少となって押圧力が解除される。
【００２６】
前記受刃３に投入する位置に軸支する接触軸１０には、締め付けレバー２７を軸支し、該接触軸１０に刃体を受刃３に圧接するための付勢手段２８と、立刃２に圧接可能なカム手段２９とが備えられている。
締め付けレバー２７は、基部が切り替え刃４の幅とほぼ同じ径とし、先端を先細とした板体で、基部が接触軸１０の端部に固定されて協働可能に連結され、先端が連結部材３２に連結され、連結部材３２により締め付けレバー２７が回動される。
【００２７】
図１５および図１６に示すように、切り替え刃４を受刃３に締め付け圧接する構造として、前記受刃３に投入する位置に軸支した接触軸１０に締め付けレバー２７を軸支し、該接触軸１０に切り替え刃４の刃体を受刃３に圧接するための付勢手段２８と受刃３に圧接可能なカム手段２９とを備えてある。切り替え刃４に回転自由に軸支された接触軸１０に締め付けレバー２７が固定される。接触軸１０には切り替え刃４の一方の面（後面）と締め付けレバー２７との間にカム手段２９が備えられ、かつ切り替え刃４の他方の面（前面）と前端に備えるばね押さえ部材３０との間に付勢手段２８が備えられ、前端にナット３１が螺合されてばね押さえ部材３０が締め付けられる。
付勢手段２８は前記付勢手段１８と同じであり、また、カム手段２９は前記カム手段１９と同じ構造で、一方のカム板２９ａが刃体に固定的されて固定側となり、他方のカム板２９ｂが締め付けレバー２７にねじで固定されて締め付けレバー２７の回動により回される可動側となる。
【００２８】
連結部材３２は、板状杆であり、前記切り替え刃にほぼ平行として一端３２ａが前記切り替えレバー７と協働可能に設けられ、かつ他端３２ｂが前記締め付けレバー２７に連結されている。連結部材３２の一端３２ａは切り替えレバー７の底部の一側の枢軸２０に枢支され、かつ他端３２ｂは締め付けレバー２７の先端に備えた軸に枢支されている。
【００２９】
前記トグルリンクＡ、Ｂは、一端にストッパー部材４１に衝接させる衝接部３５ａを有し、ほぼ中央を前記切り替え刃４の一側に軸３６で回動可能に軸支された第１のトグルレバー３５と、一端が前記第１のトグルレバー３５の他端に折り曲げ可能に結節され、かつ前記切り替えレバー７に設けた作用ピン２２またはトグル作用レバー８に設けた作用ピン２３が摺動可能に挿入される所定長さの長孔３８を有する第２のトグルレバー３７とを備えている。
前記第２のトグルレバー３７は、第１のトグルレバー３５との結節側を常時保持位置に戻す方向に荷重が働くように重り部３７ａが設けられたものである。実施形態の第２のトグルレバー３７の重り部３７ａはトグルレバー３７の一端を上部に延出してＬ型に一体に形成されている。
切り替え刃４の中立位置で、前記トグルレバー８の切り替え刃４の中心線に対する角度は、切り替え刃４の中心線に対する作動軸６と前記切り替えレバー７の作用ピン２２を結ぶ線の角度とほぼ同じとされる。前記切り替えレバー７の凸状延出部２１の作用ピン２２とトグル作用レバー８の作用ピン２３は、切り替え刃４の中心に対称な位置でトグルリンクＢとトグルレバーＡの長孔３８に挿入されている。
【００３０】
切り替えレバー７は、前記切り替え刃４を立刃２を支点として左右いずれかに回動し、切り替え刃４の後面側のトグルリンクＡが回動される方向が右方向のとき、トグルリンクＡを前記ストッパー部材４１に衝突させて切り替え刃４と前記切り替えレバー７またはトグル作用レバー８との協働と保持を解除する。このとき、前面側のトグルリンクＢは保持状態のまま回動される。
切り替えレバー７は、切り替え刃４を受刃３に投入して受け止め後、さらに回動して立刃側のカム手段１９で前記切り替え刃４を立刃２に圧接すると同時に連結部材３２を介して切り替え刃の受刃に投入する側の締め付けレバー２７を回動してカム手段１９で前記切り替え刃を受刃に圧接可能としたものである。
【００３１】
前記トグルリンクＡ、Ｂは、一端が前記切り替え刃４の端部に備えた軸３６に回動自由に枢支された第１のトグルレバー３５と、前記作用ピン２２または作用ピン２３を摺動自由に挿入しうる内径で所定ストロークの長孔３８を有する第２トグルレバー３７とからなり、前記第１のトグルレバー３５の他端部と第２トグルレバー３７の一端部とを結節ピン３９（トグルレバー３５、３７の結節点）で相互に折曲げ自由に結節される。第２のトグルレバー３７は結節点側の上部に重りとする凸状部３７ａを設け、常時結節点を元に戻す方向に自重をかけるように設け、かつ長手方向に作用ピン２２、２３をガイドする長孔３８が設けられる。第２のトグルレバー３７は凸状部３７ａの自重の作用で元に戻す方向（図で下方）に押し下げてトグルリンクを逆への字とする。前記長孔３８の幅は作用ピン２２、作用ピン２３の外径と同じとして切り替えレバー７またはトグル作用レバー８を回す際に作用ピン２２、２３が長孔３８に沿って作動軸６を支点とする円弧状に回動できる。長孔３８のストロークは、切り替えレバー７またはトグル作用レバー８を回すを回す際に作用ピン２２、２３が左端より右端或いは右端より左端に移動できる長さとする。
前記トグルリンクＡ、Ｂの軸３６は切り替え刃４の前面側と後面側の端部近くで同じ高さの位置に対称に設けられている。
中立状態で切り替え刃４と切り替えレバー７とトグル作用レバー８は協動状態に保持され（トグルリンクが利いていることになる）。このとき、切り替えれバー７の延出部の作用ピン２２と、前面側のトグル作用レバー８の作用ピン２３は第２のトグルレバー３７の長孔３８に位置し、その作用ピン２３の位置はほぼ同じ高さになるように設定されている。
【００３２】
第１のトグルレバー３５の下方には、受け止めピン４０で第１のトグルレバー３５の結節端側を受け止めるのが好ましい。受け止めピン４０は、切り替え刃４の前面と後面の第１のトグルレバー３５の結節端側の下方で、トグルリンクが逆への字の位置（両トグルレバーの結節ピン３９が軸３６と作用ピン２２、２３を結ぶ線より僅かに下方に下がった位置）で第１のトグルレバー３５を受け止めできるように設ける。トグルリンクは結節ピン（結節点）３９が下がりすぎると反転しにくくなるので、少なくとも反転できる位置とする。
【００３３】
前記トグルリンクＡ、Ｂは、前記構造としたので、切り替えレバー７を切り替え刃４と共に中立から受刃３側に回動するとき、トグルリンクＡ、Ｂのうち一方のトグルリンクは、初め保持状態のまま回動され、トグルリンクの第１のトグルレバー３５の自由端をストッパー部材４１に衝接させると、作用ピン２２または２３の作用により第１のトグルレバー３５の先端が内側へ移行されて第２トグルレバー３７の重り部３７ａに抗して第１のトグルレバー３５の結節ピン側がてこ作用で跳ね上がり、第１のトグルレバー３５と第２トグルレバー３７との結節ピン３９が死点を越えて、作用ピン２２と軸３６を結ぶ線より上方へ移行しへの字状に屈折する（トグル機構が利かなくなる状態）。この状態でトグル作用レバー８と切り替え刃４との協動が解除されて別動可能となる。トグルリンクＡ、Ｂの保持を解除後は、切り替えレバー７の回動とともにトグル作用レバー８の作用ピン２２は長孔３８に沿って移動され、切り替えレバー７に固定したカム板で刃体を立刃２に圧接させ、かつ連結部材３２により締め付けレバー２７が回動されて、締め付けレバー２７に固定したカム板で刃体を受刃３に圧接させる。このとき、他方のトグルリンクは保持状態（トグル機構が利いたままの状態）のまま回動される。
前記第１のトグルレバー３５の他端部と第２トグルレバー３７の一端部とを結節ピン３９が第１のトグルレバー３５と第２トグルレバー３７と一直線となる位置が死点である。
【００３４】
逆に、切り替えレバー７を切り替え刃４と共に受刃３側より中立へ回動するとき、屈折した状態の第１のトグルレバー３５と第２トグルレバー３７が作用ピン２２または２３の作用により第１のトグルレバー３５の先端が外側へ移行されて第１のトグルレバー３５の結節ピン側が下降し、第２のトグルレバー３７の重り部３７ａの重さの作用で死点を越えて逆への字となり、中立位置に保持できる。結節ピン３９がこの死点を越えて下方に移動すると、第１のトグルレバー３５と第２トグルレバー３７とが逆への字となり、第１のトグルレバー３５を受け止めピン４０で受け止める。中立位置でトグルリンクのトグル機構が利いた状態となる。
前記トグルリンクによれば、第２のトグルレバー３７に重り部３７ａを形成するだけで、構造が簡単となり、部品点数を少なくできる。
【００３５】
図４ないし図８に示すように、ストッパー部材４１は、立刃２の両側に固定されるもので、トグルリンクＡとＢの第１のトグルレバー３５の衝接部３５ａが衝接する衝接部を有する。実施形態では、立刃２の左側にストッパー部材４１Ａ、右側にストッパー部材４１Ｂが設けられている。ストッパー部材４１Ａ、４１Ｂは断面Ｌ型の板体で、切り替え刃４の前面と後面のトグルリンクＡとＢの位置に対応するように衝接部が逆向きに突出して設置されている。ストッパー部材４１の衝接部はトグルリンクＡ、Ｂの第１トグルレバーが回動されて先端部が衝突する位置に設けられている。
【００３６】
さらに、前記切り替え刃４を構成する刃体のうちの後部の刃体４ｂの下部を両側を傾斜面とした台形状として、刃体４ｂの底面とその両側傾斜面に係止凹部１４を設ける。底面の中央に中立時の係止凹部１４ｂ、左傾斜面に切り替え刃４を左側の受刃に受け止めた時の係止凹部１４ａ、右傾斜面に切り替え刃４を右側の受刃に受け止めた時の係止凹部１４ｃが形成されている（図６、図１４参照）。該刃体４ｂの直下には、前記切り替え刃４の下端の凹部の回動位置に出没可能な係止部材１５を備えた係止装置１６が備えられている。係止部材１５は、上面に係止頭部を有する出没部材で、出没部材と係止装置１６の基体との間にばね等の付勢部材１７を備え、係止部材１５を付勢部材１７の付勢力で常時上方へ付勢して係止装置１６より出没可能としてある。而して、切り替え刃４が中立の位置に戻されるとき、切り替え刃４の下端で係止部材１５を付勢部材１７の付勢に抗して押し下げて係止凹部１４ｂに係止部材１５が係合保持される。また、切り替え刃４を左右の受刃３に投入したとき、左右の係止凹部１４ａ、１４ｂに係止部材１５が係合保持される。切り替え刃４の凹部１４は円弧状凹部とし、係止部材１５は出没部材の係止頭部を円弧状として切り替え刃４の回動切り替え時に凹部が係止部材と円滑に係合できるようにするのが好ましい。上記実施例では、切り替え刃４の下部の中央と左右に凹部を設けたが、これに限られるものでなく、凹部は下部中央だけとして、中立の位置のみ係合できるようにすることもできる（図１２参照）。
【００３７】
前記導電性立刃、受刃、切り替え刃等からなる断路器単体を複数組配設して、各操作レバーを手動の回動操作或いは駆動手段により一度に切り替え操作可能とする。実施形態では、図２、図３に示すように３相の場合で断路器を３組並列に配置して、各操作レバーを手動の回動操作或いは駆動手段により一度に切り替え操作可能としてある。複数組の断路器を中立位置から左右いずれかの受刃に、一度に切り替えできるので便利であり、遠隔操作も可能である。
【００３８】
次に、この考案の切り替え断路器の動作を説明する。
図４ないし図６に示すように、導電性切り替え刃４が立刃２に直立の中立状態にある場合を説明する。
切り替えレバー７で切り替え刃４を中立位置は立刃２に直立状にした状態であり、切り替えレバー７とトグル作用レバー８は左右対称な角度に位置している。
前面側のトグルリンクＢの第１のトグルレバー３５と第２のトグルレバー３７の結節部が、第２のトグルレバー３７の重り部３７ａの自重により下方に移行されているので、第１のトグルレバー３５と第２のトグルレバー３７の結節ピン３９が作用ピン２２、２３と軸３６を結ぶ線より下方になって刃体に備えた受け止めピン４０の近くに下がり、逆への字（トグル機構が利いた状態）に保持されている。そして、切り替え刃４の前面のトグル作用レバー８の作用ピン２３は前面側のトグルリンクＢの第２のトグルレバー３７の長孔３８の左端に位置している。
このとき、後面側のトグルリンクＡの第１のトグルレバー３５と第２のトグルレバー３７の結節部も、第２のトグルレバー３７の重り部３７ａの自重により下方に移行されているので、第１のトグルレバー３５と第２のトグルレバー３７の結節ピン３９が作用ピン２２、２３と軸３６を結ぶ線より下方になって刃体に備えた受け止めピン４０の近くに下がり、逆への字に保持されている。そして、切り替えレバー７の延出部２１の作用ピン２２は後面側のトグルリンクＡの同様に第２のトグルレバー３７の長孔３８の左端に位置している。
このとき、立刃２の作動軸６のカム手段１９と、切り替え刃４の自由端の軸１０のカム手段はカムによる押圧解除状態にあり、トグルリンクＡ、Ｂは切り替え刃４を協動可能状態に保持している。
【００３９】
次に、図９ないし図１１に示すように、切り替え刃４を左側の受刃３Ａに投入して圧接保持する場合について説明する。
この場合は、切り替え刃４の前面側のトグルリンクＢを保持から、解除して切り替え刃と切り替えレバーを別動可能としてカム手段１９、２９により立刃２と受刃３に圧接する。
すなわち、切り替え刃４を中立の状態から左側（反時計方向）に回動して左側の受刃３Ａに投入する場合、作動杆５３で切り替えレバー７の上端を押して左方向に回動させると、切り替え刃４とトグル作用レバー８がトグルリンクＢは保持状態で協働して回動され、トグルリンクＢの第１のトグルレバー３５の自由端３５ａがストッパー部材４１Ａの衝接部に当たると（図９参照）、その自由端が止められる反動で第１のトグルレバー３５が跳ね上げられ、第２のトグルレバー３７の重り部３７ａに抗して結節部が上方に移行し、作用ピン２２が長孔３８に沿って移行し、第１トグルレバー３５と第２トグルレバー３７とが逆への字状に屈折され切り替え刃４と切り替えレバー７との協動が解除され、切り替えレバー７が自由となる（トグルリンクが解除された状態）。
図１０および図１１に示すように、さらに切り替えレバー７を左へ回動して自由端が受刃３の投入孔９に投入して受け止める。切り替え刃４を受刃３に受け止め後、さらに切り替えレバー７を左へ回動することにより第２のトグルレバー３７がその長孔３８に挿入された作用ピン２２（このとき作用ピン２２は長孔３８の左端にある）の円軌道の運動により下方へ引き下げられ、同時に切り替えレバー７の回動で作動軸６を回しカム手段１９のカム板の凸面同士を乗り上げさせて切り替え刃４を軸方向に押圧し付勢手段１８の付勢力とにより立刃２に圧接保持できる。
同時に切り替えレバー７の回動で連結部材３２が回動され、締め付けレバー２７により切り替え刃４の自由端において付勢手段２８の付勢力のもと、カム手段２９のカム板の凸面同士を乗り上げさせて切り替え刃４を軸方向に押圧して受刃３Ａに圧接保持できる。
図１２に示すように、このとき、切り替え刃４の後面側のトグルリンクＡも同時に左に回動されが、トグルリンク３４は重り部の作用で結節ピン３９が作用ピン２３と軸３６を結ぶ線より下方のままの保持状態を保たれ、切り替えレバー７の作用ピン２２はトグルリンクＡの第２のトグルレバー３７の長孔３８の長手方向に沿って左端へ摺動するだけである。
【００４０】
左側の受刃３Ａに圧接保持した切り替え刃４を中立に戻して断路するときは、図１２、図４ないし図６に示すように、作動杆５３を引いて切り替えレバー７を時計方向に回動することにより作動軸６と切り替え刃４と共にカム手段１９が回動されて刃体と立刃２との押圧力が解除されると軽く回すことができると共に、連結部材３２で締め付けレバー２７を戻すことによりカム手段２９による圧接を解除し（凸面と凹面を噛み合わせる）、切り替え刃４を左側の受刃３Ａから離脱可能とする。その後、切り替えレバー７を時計方向に回すことにより後面側のトグルリンクＡは保持状態にあるので、切り替えレバー７の作用ピン２２は長孔３８の右端へ移行しつつ、切り替え刃４が切り替えレバー７と協働して中立位置へ戻される。切り替え刃４は中立位置で断路される。
このとき、前面側のトグルリンクＢは作用ピン２３の円軌道に沿って第２のトグルレバー３７を上方へ移動し、第１のトグルレバー３５は、第２のトグルレバー３７の重り部３７ａの自重による作用と相まって下方に降下し、第１、第２のトグルレバーの結節ピン３９が作用ピン２３と軸３６を結ぶ線より下方へ下げられて保持状態（トグル機構が利いた状態）とされる。
【００４１】
次に、図１３、図１４に示すように、切り替え刃４を右側の受刃３Ｂに投入して圧接保持する場合について説明する。
切り替え刃４の後面側のトグルリンクＢを保持から、解除して切り替え刃と切り替えレバーを別動可能としてカム手段１９、２９により立刃２と受刃３に圧接する。
すなわち、切り替え刃４を中立の状態から右側（時計方向）から右側の受刃３Ｂに投入する場合、作動杆５３で切り替えレバー７の上端を引いて右方向に回動させると、切り替え刃４とトグル作用レバー８がトグルリンクＡが保持状態で協働して回動され、トグルリンクＡの第１のトグルレバー３５の自由端３５ａがストッパー部材４１Ｂの衝接部に当たると、その自由端が止められる反動で第１のトグルレバー３５が跳ね上げられ、第１トグルレバー３５と第２トグルレバー３７とが逆への字状に屈折され切り替え刃４と切り替えレバー７との協動が解除され、切り替えレバー７が自由となる。
そして、切り替えレバー７を右へ回動して自由端が受刃３Ｂの投入孔９に投入して受け止める。切り替え刃４を受刃３Ａに受け止め後、さらに切り替えレバー７を右へ回動することにより第２のトグルレバー３７がその長孔３８に挿入された作用ピン２２（このとき作用ピン２２は長孔３８の左端にある）の円軌道の運動により下方へ引き下げられ、同時に切り替えレバー７の回動で作動軸６を回しカム手段１９のカム板の凸面同士を乗り上げさせて切り替え刃４を軸方向に押圧し付勢手段１８の付勢力とにより立刃２に圧接保持できる。
同時に切り替えレバー７の回動で連結部材３２が回動され、締め付けレバー２７により切り替え刃４の自由端において付勢手段２８の付勢力のもと、カム手段２９のカム板の凸面同士を乗り上げさせて切り替え刃４を軸方向に押圧して受刃３Ａに圧接保持できる。
【００４２】
右側の受刃３Ｂに圧接保持した切り替え刃４を中立に戻して断路するときは、図４ないし図６に示すように、作動杆５３を押して切り替えレバー７を反時計方向に回動することにより作動軸６と切り替え刃４と共にカム手段１９が回動されて刃体と立刃２との押圧力が解除されると共に、連結部材３２で締め付けレバー２７を戻すことによりカム手段２９による圧接を解除し（凸面と凹面を噛み合わせる）、切り替え刃４を右側の受刃３Ｂから離脱可能とする。その後、切り替えレバー７を反時計方向に回すことにより前面側のトグルリンクＢは保持状態にあるので、切り替えレバー７の作用ピン２２は長孔３８の右端へ移行しつつ、切り替え刃４が切り替えレバー７と協働して中立位置へ戻される。切り替え刃４は中立位置で断路される。
このとき、前面側のトグルリンクＢは作用ピン２３の円軌道に沿って第２のトグルレバー３７を上方へ移動し、第１のトグルレバー３５は、第２のトグルレバー３７の重り部３７ａの作用と相まって下方に降下し、第１、第２のトグルレバーの結節ピン３９が作用ピン２３と軸３６を結ぶ線より下方へ下げられて保持状態（トグル機構が利いた状態）とされる。
【００４３】
図１ないし図３において、切り替えレバー７を切り替える作動手段４５として、実施形態では、枠体１の右側面の下部にモータ等駆動装置４６を備え、該駆動軸４７に作動アーム４８を固定する。そして、枠体１の右側面の前記駆動装置より上部位置には、前後に支持板４９を設け、該支持板４９に支軸５０を回動可能に軸支し、該支軸５０に第１のアーム部材５１と第２のアーム部材５２をそれぞれ所定の角度に固定し、該第２のアーム部材５２の先端に前記作動杆５３を連設してある。前記駆動軸４７に固定した作動アーム４８の先端に前記第１のアーム部材５１の先端に連設してある。駆動装置４６は遠隔より制御可能とする。
而して、駆動装置４６を駆動すると、駆動軸４７の回転で作動アーム４８が上下に回動され、該作動アーム４８により前記第１のアーム部材５１を昇降し、その昇降運動で第２のアーム部材５２が中立位置より左または右に所定ストローク回動され、第２のアーム部材５２により作動杆５３が進退運動に替えられ、前記切り替えレバー７を中立位置より左または右に所定ストローク切り替える。
なお、前記作動手段４５は、手動とすることもできる。手動の場合、先端に軸の六角軸部に嵌合する治具を有する操作杆を用い、操作杆を駆動軸の６角形の軸部に嵌合して軸部を回動することもできる。
機枠１に断路器単体Ａを複数組配設する場合、前記支軸に各断路器用の第２のアーム部材を備え、各断路器単体Ｃの切り替えレバー７の各作動杆５３が連設され、同時に全切り替え刃を同時に切り替えできるようにする。
【００４４】
この考案の構造によれば、切り替え刃を中立位置からいずれかの受刃に投入する場合、立刃側の作動軸に切り替えレバーとトグル作用レバーとを協働可能に備え、かつ切り替え刃の受刃側の軸の締め付けレバーも同時に回動可能に備え、かつまた切り替え刃の前面側と後面側にトグルリンクを備え、該トグルリンクを前記切り替えレバーとトグル作用レバーと関連作動可能として前面または後面のトグルリンクを協働と保持及び解除をできるようにして構造を簡単にできかつ確実に通電経路の切り替え、通電を断路できる。
また、第２のトグルレバーは、第１のトグルレバーとの結節側を常時保持位置に戻す方向に荷重が働くように重り部を設けたので、切り替え刃を中立から受刃側に回動するとき、第２のトグルレバー重り部の重さに抗して第１のトグルレバーと第２のトグルレバーとの結節部が死点を越えへの字状に折り曲げ可能（トグルリンクの解除状態）となり、また、切り替え刃を受刃側より中立へ回動するとき、第２のトグルレバー重り部の自重の作用で死点を越えて逆への字となり、中立位置に保持状態（トグルリンクの保持状態）とに的確に切り替えできる。第２のトグルレバーに重り部を形成するので、構造が簡単となり、部品点数を少なくできる。
【００４５】
切り替え刃が中立位置にあるとき、切り替え刃の下端の凹部が下部の係止装置の係止部材に係合して止めるので、切り替え刃を中立の断路状態に確実に維持でき、安全に修理作業、交換作業等をすることができる。
遠隔操作により複数組の断路器の切り替えレバーを操作手段で一挙に操作して一度に各断路器の切り替え刃を受刃に投入又は離脱させることができ、便利で、安全に作業できる。
【００４６】
以上の実施形態を示したが、この考案はこの形態に限定されるものではなく、この考案の要旨を逸脱しない範囲で、種々の形態を実施しうるものである。
【符号の説明】
【００４７】
１  切り替え断路器
２  導電性立刃
３  導電性受刃
４  導電性切り替え刃
６  作動軸
７  切り替えレバー
８  トグル作用レバー
９  投入孔
１０  接触軸
１４  係止凹部
１５  係止部材
１７  付勢部材
１８  付勢手段
１９  カム手段
２１  凸状延出部
２２  作用ピン
２３  作用ピン
２７  締め付けレバー
２８  付勢手段
２９  カム手段
３２  連結部材
３５  第１のトグルレバー
３６  軸
３７  第２のトグルレバー
３８  長孔
３９  結節ピン
４１  ストッパー部材
４５  作動手段
４６  駆動装置
５３  作動杆
Ａ  一方の面側（後面側）トグルリンク
Ｂ  他方の面側（前面側）トグルリンク
【図１】
0003151075.tif 000003
【図２】
0003151075.tif 000004
【図３】
0003151075.tif 000005
【図４】
0003151075.tif 000006
【図５】
0003151075.tif 000007
【図６】
0003151075.tif 000008
【図７】
0003151075.tif 000009
【図８】
0003151075.tif 000010
【図９】
0003151075.tif 000011
【図１０】
0003151075.tif 000012
【図１１】
0003151075.tif 000013
【図１２】
0003151075.tif 000014
【図１３】
0003151075.tif 000015
【図１４】
0003151075.tif 000016
【図１５】
0003151075.tif 000017
【図１６】
0003151075.tif 000018
【図１７】
0003151075.tif 000019